(57)【要約】  光ディスクに制御情報を構成したり記録する方法を提供することによって、特定された制御情報（specified control information）利用を容易にし、光ディスク記録・再生に効率よく対処する。読み取り専用あるいは書き込み可能ディスクのディスク管理領域内に制御情報を構成する。制御情報は、読み取り専用及び書き込み可能ディスクの両方に共通して適用される情報を記録した共通領域、及び少なくとも一つのディスクタイプに共通して適用されない情報を記録した特有領域を含む。
2007527087.tif 000002
【特許請求の範囲】
【請求項１】
読み取り専用光記録媒体と書き込みが可能な光記録媒体に共に適用される情報のための共通領域と、少なくとも一つの光記録媒体に固有に適用される情報のための特有領域とを、備えた制御情報を構成する段階を備え、
前記共通領域及び前記特有領域に含まれた前記情報は、他の一つの光記録媒体と比較して同じバイト位置を持つことを特徴とする、光記録媒体の制御情報構成方法。
【請求項２】
該当光記録媒体の前記特有領域は、該当情報が記録されない場合にリザーブド領域として設定されることを特徴とする、請求項１に記載の光記録媒体の制御情報構成方法。
【請求項３】
書き込み方法パラメータ領域は、前記書き込みが可能な光記録媒体の前記特有領域に構成されることを特徴とする、請求項１に記載の光記録媒体の制御情報構成方法。
【請求項４】
前記読み取り専用光記録媒体の前記書き込み方法パラメータ領域は、“０”で設定されることを特徴とする、請求項３に記載の光記録媒体の制御情報構成方法。
【請求項５】
前記共通領域は、前記制御情報の先頭部分に構成されることを特徴とする、請求項１に記載の光記録媒体の制御情報構成方法。
【請求項６】
前記共通領域は、前記制御情報の先頭部分と前記特有領域との間に構成されることを特徴とする、請求項１に記載の光記録媒体の制御情報構成方法。
【請求項７】
前記制御情報の先頭部分と前記特有領域との間に構成された前記共通領域は、最初特有領域から変化することを特徴とする、請求項６に記載の光記録媒体の制御情報構成方法。
【請求項８】
データを記録或いは再生するのに必要な制御情報を発生する段階であって、前記制御情報が少なくとも一つの情報単位を含み、前記情報単位が少なくとも記録速度情報と書き込み方法情報を含む段階と、
他の書き込みが可能な記録媒体タイプとして少なくとも前記記録速度情報に対して同じバイト位置を持つように前記記録媒体の特有領域に前記制御情報を記録する段階と、
を備えることを特徴とする、記録媒体へのデータ記録・再生方法。
【請求項９】
前記記録媒体は、書き換えが可能記録媒体であり、
前記書き込みが可能な記録媒体は、一度だけ書き込みが可能な記録媒体であることを特徴とする、請求項８に記載の記録媒体へのデータ記録・再生方法。
【請求項１０】
前記記録速度情報は、名目上記録速度、最大記録速度、及び最小記録速度のうち少なくとも一つを含むことを特徴とする、請求項９に記載の記録媒体へのデータ記録・再生方法。
【請求項１１】
前記記録段階は、前記一度だけ書き込みが可能な記録媒体タイプとして前記記録速度情報と前記書き込み方法情報に対して同じバイト位置を持つように前記制御情報を記録することを特徴とする、請求項９に記載の記録媒体へのデータ記録・再生方法。
【請求項１２】
前記記録媒体は、少なくとも２つの記録層を含み、
前記記録段階は、少なくとも前記記録速度情報に対して同じバイト位置を持つように前記記録媒体の特定記録層の前記特有領域に各記録層別制御情報をそれぞれ記録すること
を特徴とする、請求項９に記載の記録媒体へのデータ記録・再生方法。
【請求項１３】
各制御情報は、
１番目の順序として、記録層によって前記特有領域に記録され、
２番目の順序として、同じ記録層内の記録速度によって前記特有領域に記録されることを特徴とする、請求項１２に記載の記録媒体へのデータ記録・再生方法。
【請求項１４】
各制御情報は、
１番目の順序として、記録速度によって前記特有領域に記録され、
２番目の順序として、同じ記録速度での前記記録層によって前記特有領域に記録されることを特徴とする、請求項１２に記載の記録媒体へのデータ記録・再生方法。
【請求項１５】
前記記録媒体は、一度だけ書き込みが可能な記録媒体であり、
前記書き込みが可能な記録媒体は、書き換えが可能な記録媒体であることを特徴とする、請求項８に記載の記録媒体へのデータ記録・再生方法。
【請求項１６】
前記記録速度情報は、名目上記録速度、最大記録速度、及び最小記録速度のうち少なくとも一つを含むことを特徴とする、請求項１５に記載の記録媒体へのデータ記録・再生方法。
【請求項１７】
前記記録段階は、前記書き換えが可能な記録媒体タイプとして前記記録速度情報と前記書き込み方法情報に対して同じバイト位置を持つように前記制御情報を記録することを特徴とする、請求項１５に記載の記録媒体へのデータ記録・再生方法。
【請求項１８】
前記記録媒体は、少なくとも２つの記録層を含み、
前記記録段階は、少なくとも前記記録速度情報に対して同じバイト位置を持つように前記記録媒体の特定記録層の前記特有領域に各記録層別制御情報をそれぞれ記録することを特徴とする、請求項１５に記載の記録媒体へのデータ記録・再生方法。
【請求項１９】
各制御情報は、
第１の順序として、記録層によって前記特有領域に記録され、
２番目の順序として、同じ記録層内の記録速度によって前記特有領域に記録されることを特徴とする、請求項１８に記載の記録媒体へのデータ記録・再生方法。
【請求項２０】
各制御情報は、
１番目の順序として、記録速度によって前記特有領域に記録され、
２番目の順序として、同じ記録速度での前記記録層によって前記特有領域に記録されることを特徴とする、請求項１８に記載の記録媒体へのデータ記録・再生方法。
【請求項２１】
記録可能な領域と事前記録された領域を持つ管理領域と、
使用者データを記録するように提供されるデータ領域と、を含み、
前記記録可能領域あるいは前記事前記録された領域は、データの記録・再生のために必要な制御情報を備え、
前記制御情報は、特定記録速度あるいは記録層と関連した少なくとも一つの情報単位を備え、
前記情報単位は、少なくとも記録速度情報と書き込み方法情報とを備え、
前記記録速度情報は、他の書き込みが可能な記録媒体タイプとして同じバイト位置を持つように特定位置に位置することを特徴とする、記録媒体。
【請求項２２】
前記記録媒体は、書き換えが可能な記録媒体であり、
前記書き込みが可能な記録媒体は、一度だけ書き込みが可能な記録媒体であることを特徴とする、請求項２１に記載の記録媒体。
【請求項２３】
前記記録速度情報は、名目上記録速度、最大記録速度、及び最小記録速度のうち少なくとも一つを含むことを特徴とする、請求項２２に記載の記録媒体。
【請求項２４】
前記書き込み方法情報は、前記一度だけ書き込みが可能な記録媒体タイプとして同じバイト位置を持つように特定位置に位置することを特徴とする、請求項２２に記載の記録媒体。
【請求項２５】
前記記録媒体は、少なくとも２つの記録層を含み、
少なくとも前記記録速度情報に対して同じバイト位置を持つように記録媒体の特定記録層内の特有領域に各記録層のための制御情報が記録されることを特徴とする、請求項２２に記載の記録媒体。
【請求項２６】
各制御情報は、
一番目の順序として、記録層によって前記特有領域に記録され、
２番目の順序として、同じ記録層内の記録速度によって前記特有領域に記録されることを特徴とする、請求項２５に記載の記録媒体。
【請求項２７】
各制御情報は、
１番目の順序として、記録速度によって前記特有領域に記録され、
２番目の順序として、同じ記録速度での前記記録層によって前記特有領域に記録されることを特徴とする、請求項２５に記載の記録媒体。
【請求項２８】
前記記録媒体は、一度だけ書き込みが可能な記録媒体であり、
前記書き込みが可能な記録媒体は、書き換えが可能な記録媒体であることを特徴とする、請求項２１に記載の記録媒体。
【請求項２９】
前記記録速度情報は、名目上記録速度、最大記録速度、及び最小記録速度のうち少なくとも一つを含むことを特徴とする、請求項２８に記載の記録媒体。
【請求項３０】
前記書き込み方法情報は、前記書き換えが可能な記録媒体タイプとして同じバイト位置を持つように特定位置に位置することを特徴とする、請求項２８に記載の記録媒体。
【請求項３１】
前記記録媒体は、少なくとも２つの記録層を含み、
少なくとも前記記録速度情報に対して同じバイト位置を持つように記録媒体の特定記録層内の特有領域に各記録層のための制御情報が記録されることを特徴とする、請求項２８に記載の記録媒体。
【請求項３２】
各制御情報は、
１番目の順序として、記録層によって前記特有領域に記録され、
２番目の順序として、同じ記録層内の記録速度によって前記特有領域に記録されることを特徴とする、請求項３１に記載の記録媒体。
【請求項３３】
各制御情報は、
１番目の順序として、記録速度によって前記特有領域に記録され、
２番目の順序として、同じ記録速度での前記記録層によって前記特有領域に記録されることを特徴とする、請求項３１に記載の記録媒体。
【請求項３４】
少なくとも一つの記録層と、光記録媒体の管理領域に記録された制御情報と、を含み、
前記制御情報は、少なくとも一つの光記録媒体タイプに係らずに前記光記録媒体に共通して適用される情報のための共通領域と、前記少なくとも一つの光記録媒体タイプに共通して適用されない情報のための特有領域と、備え、
前記共通領域及び前記特有領域は、他の光記録媒体のバイト位置と同じバイト位置を持つことを特徴とする、光記録媒体。
【請求項３５】
前記光記録媒体は、ブルーレイディスクであることを特徴とする、請求項３４に記載の光記録媒体。
【請求項３６】
前記光記録媒体は、読み取り専用ブルーレイディスクであり、
他の一つの光記録媒体は、書き込みが可能なブルーレイディスクであることを特徴とする、請求項３５に記載の光記録媒体。
【請求項３７】
前記光記録媒体は、書き換えが可能なブルーレイディスクであり、
他の一つの光記録媒体は、読み取り専用ブルーレイディスク或いは一度だけ書き込みが可能なブルーレイディスクであることを特徴とする、請求項３５に記載の光記録媒体。
【請求項３８】
前記光記録媒体は、一度だけ書き込みが可能なブルーレイディスクであり、他の一つの光記録媒体は、読み取り専用ブルーレイディスク或いは書き換え可能ブルーレイディスクであることを特徴とする、請求項３５に記載の光記録媒体。
【請求項３９】
光記録媒体の管理領域に提供された制御情報を読み出す段階であって、前記制御情報が、読み取り専用及び書き込みが可能な記録媒体に共に利用可能な共通領域、及び前記書き込みが可能な記録媒体にのみ利用可能な特有領域を含む段階と、
前記共通領域及び前記特有領域に含まれた制御情報に基づいてデータを記録したり再生する段階と、を含むことを特徴とする、光記録媒体へのデータ記録・再生方法。
【請求項４０】
前記データ記録・再生段階は、
前記光記録媒体が書き込みが可能な光記録媒体の場合、前記特有領域に含まれた書き込み方法パラメータを確認する段階と、前記書き込み方法パラメータを用いてデータ記録を行う段階と、を含むことを特徴とする、請求項３９に記載の光記録媒体へのデータ記録・再生方法。
【請求項４１】
前記データ記録・再生段階は、
前記光記録媒体が読み取り専用光記録媒体の場合に、前記共通領域に含まれた前記情報を確認する段階と、
前記共通領域のみを用いてデータ再生を行う段階と、を含むことを特徴とする、請求項３９に記載の光記録媒体へのデータ記録・再生方法。
【請求項４２】
光記録媒体にデータを記録或いは再生する装置において、
光記録媒体の管理領域に提供された制御情報を読み出す光ピックアップ部と、
前記光ピックアップ部から読み出された各制御情報から、読み取り専用及び書き込みが可能な記録媒体に利用される共通領域及び前記書き込みが可能な記録媒体にのみ利用可能な特有領域を確認してデータ記録を制御し、前記特有領域内に含まれた書き込み方法パラメータに基づいて特定記録速度でデータ記録を制御する制御部と、
を含むことを特徴とする、光記録媒体へのデータ記録・再生装置。
【発明の詳細な説明】
【技術分野】
【０００１】
本発明は、記録媒体（例えば、書き込みが可能な（recordable）光ディスク）に制御情報を記録する方法、読み取り専用（read-only）光ディスクのような記録媒体から制御情報を再生する方法、及び該制御情報を用いて記録媒体にデータを記録したり記録媒体に記録されたデータを再生する方法に関する。
【背景技術】
【０００２】
近年、高画質のビデオデータと高音質のオーディオデータを記録及び格納できる高密度光記録媒体（例、ＨＤ−ＤＶＤ）が広く使用されている。ブルーレイディスク（以下、“ＢＤ”という。）は、次世代ＨＤ−ＤＶＤ技術を用いた代表的な記録媒体である。次世代ＨＤ−ＤＶＤ技術のブルーレイディスク（ＢＤ）は、既存のＤＶＤを顕著に凌駕してデータを格納できる次世代光記録ソリューションであって、現在、これに対する世界標準の技術仕様が確立中である。
【０００３】
ブルーレイディスク（ＢＤ）と関連して様々な規格及び標準が作られており、特に、一度だけ書き込みが可能な（write-once）ブルーレイディスク（すなわち、ＢＤ−ＷＯ）、及び1倍速書き換えが可能なＢＤ（すなわち、1x-speed BD-RE）による読み取り専用（read-only）ＢＤ（すなわち、ＢＤ−ＲＯＭ）に対する多様な標準案が作成されている。
【発明の開示】
【発明が解決しようとする課題】
【０００４】
しかしながら、ＢＤ−ＲＥ、ＢＤ−ＷＯ、及びＢＤ−ＲＯＭは、ディスク形態（format）に基づく同一のＢＤを提供するため、これらディスクに提供される制御情報を均一に（uniformly）構成する必要があった。
【０００５】
また、高速記録動作に対処するために上記規格事項の“バージョンアップ（version-up）”規格が開発され続けているのに伴い、新しく開発される今後の規格に同一に適用され得る特定情報として制御情報が提供される場合、以前の規格と新しい規格間の相互互換性（reciprocal compatibility）が保障されなければならないという問題があった。
【０００６】
本発明は上記の問題点を解決するためのもので、その目的は、光ディスク内の制御情報を構成する方法を提供することにある。
【０００７】
本発明の他の目的は、制御情報を特定情報として記録する新しい方法を提供することにあり、この方法によって、同種のファミリー系列ディスク（family-series discs）間に制御情報が効率よく構成され、光ディスクの記録・再生動作が該制御情報により効率的に行われるようになる。
【０００８】
本発明のさらに他の目的は、制御情報を構成する新しいデータ構造を提供することにある。
【０００９】
本発明のさらに他の目的は、ディスクの特定の領域内に上記のように定義された制御情報を構成する特定の方法を提供することにあり、ファミリー系列ディスク間の相互互換性を提供することにある。
【００１０】
本発明のさらに他の目的は、制御情報を用いて実際データが光ディスクに効率よく記録及び／または光ディスクから効率的に再生される記録・再生方法及びその装置を提供することにある。
【課題を解決するための手段】
【００１１】
本発明に係る光記録媒体の制御情報構成方法は、再生専用光記録媒体と書き込みが可能な光記録媒体に共に適用される情報のための共通領域、及び少なくとも一つの光記録媒体に固有に適用される情報のための特有領域を備えた制御情報を構成する段階を含み、前記共通領域及び前記特有領域に含まれた前記情報は、他の一つの光記録媒体と比較して同じバイト位置を持つことを特徴とする。
【００１２】
本発明に係る記録媒体へのデータ記録・再生方法は、データを記録あるいは再生するのに必要な制御情報を発生する段階（ここで、前記制御情報は少なくとも一つの情報単位を含み、前記情報単位は少なくとも記録速度情報と書き込み方法情報（write strategy information）を含む）と、他の書き込みが可能な記録媒体タイプとして少なくとも前記記録速度情報に対して同じバイト位置を持つように前記記録媒体の特有領域に前記制御情報を記録する段階と、を含むことを特徴とする。
【００１３】
本発明に係る記録媒体は、記録が可能な領域と事前に記録された（prerecorded）領域を持つ管理領域と、ユーザデータを記録するように提供されるデータ領域とを含み、前記記録が可能な領域或いは前記事前記録された領域は、データの記録・再生のために必要な制御情報を備えて、前記制御情報は、特定記録速度あるいは記録層と関連した少なくとも一つの情報単位を備えて、前記情報単位は、少なくとも記録速度情報と書き込み方法情報を備え、前記記録速度情報は他の書き込みが可能な記録媒体タイプとして同じバイト位置を有するように特定位置に位置することを特徴とする。
【００１４】
本発明に係る光記録媒体は、少なくとも一つの記録層と、光記録媒体の管理領域に記録された制御情報とを含み、前記制御情報は、少なくとも一つの光記録媒体タイプに係らず、前記光記録媒体に共通して適用される情報のための共通領域、及び前記少なくとも一つの光記録媒体タイプに共通して適用されない情報のための特有領域を備え、前記共通領域及び前記特有領域は、他の光記録媒体のバイト位置と同一のバイト位置を有することを特徴とする。
【００１５】
本発明に係る光記録媒体へのデータ記録・再生方法は、光記録媒体の管理領域に提供された制御情報を読み出す段階（ここで、前記制御情報は読み取り専用及び書き込みが可能な記録媒体に利用可能な共通領域及び前記書き込みが可能な記録媒体にのみ利用可能な特有領域を含む）と、前記共通領域及び前記特有領域に含まれた制御情報に基づいてデータを記録したり再生する段階と、を備えることを特徴とする。
【００１６】
本発明に係る光記録媒体へのデータ記録・再生装置は、光記録媒体にデータを記録あるいは再生する装置において、光記録媒体の管理領域に提供された制御情報を読み出す光ピックアップ部と、前記光ピックアップ部から読み出された各制御情報から、読み取り専用及び書き込みが可能な記録媒体に利用される共通領域及び前記書き込みが可能な記録媒体にのみ利用可能な特有領域を確認してデータ記録を制御し、前記特有領域内に含まれた書き込み方法パラメータ（write strategy parameters）に基づいて特定記録速度でデータ記録を制御する制御部と、を備えることを特徴とする。
【００１７】
前述した説明と後述される本発明の詳細な説明は、単に本発明の理解を助けるために例示されたもので、その範囲は特許請求の範囲における記載によって限定される。
【産業上の利用可能性】
【００１８】
本発明によれば、ファミリー系列の高密度光ディスクの制御情報を構成する場合、共通領域及び特有領域を活用する方法を提供するため、規格化するファミリー系列の各ディスクタイプのための制御情報を容易に構成でき、光ディスクの記録・再生に効率よく対処することが可能になる。
【発明を実施するための最良の形態】
【００１９】
以下、添付の図面を参照して本発明の詳細動作及び構造について詳細に説明する。図面中、同じ構成要素については、たとえ異なる図面上に表示されていても可能な限り同じ参照番号及び符号を共通使用するものとする。
【００２０】
本発明では、説明の便宜のために、ブルーレイディスク（ＢＤ）に挙げて光ディスクを説明するが、本発明の技術思想は、それ以外の記録媒体（例えば、ＤＶＤ−ＲＡＭ／−ＲＷ／＋ＲＷ／−Ｒ／＋Ｒ）及びＤＶＤ系列（DVD family series）の記録媒体にも同一に適用可能であることは明らかである。
【００２１】
また、本発明で使用される用語は、可能な限り、現在広く使用されている一般的な用語を選んだが、場合によっては出願人が任意に選定した用語もあり、これについては、該当する発明の説明において詳細にその意味を記載しておく。したがって、本発明は、用語自体の単なる名称または意味ではなく、用語が持つ特定意味により把握されなければならない。
【００２２】
まず、本発明の記載において“制御情報”とは、ディスク記録／再生のための種々の情報を含む領域のことを意味する。該制御情報は、ディスク製作者によりディスク内に事前記録された領域（prerecorded area）やディスクのためにエンボスされた領域（embossed area）に提供される共通的に定義された情報（commonly designated information）である。この制御情報は、事前記録領域だけでなく記録可能領域（recordable area）にも提供される。事前記録された（prerecorded）領域あるいはエンボス領域内に格納されたディスク情報は、上記の記録可能領域にも複写されることができる。これら事項は一例に過ぎない。
【００２３】
したがって、本発明において“構成制御情報（configuring control information）”とは、ディスク内に構成された制御情報のことを意味する。また、本発明で用いられた用語“記録（recording）”は、ディスク製作者が該当のディスク製作に当たって制御情報をディスクに予め記録した場合、及び後にユーザやシステムがディスク内の記録可能領域に制御情報を記録した場合を意味する。
【００２４】
特に、該制御情報は、ブルーレイディスク（ＢＤ）に格納されたディスク情報あるいはＤＶＤ−ＲＡＭ／−ＲＷ／＋ＲＷ／−Ｒ／＋Ｒディスクに格納された物理的フォーマット情報（physical format information）と呼ばれる。したがって、本発明の技術的背景がＤＶＤ−ＲＡＭ／−ＲＷ／＋ＲＷ／−Ｒ／＋Ｒディスクに格納された“物理的フォーマット情報”にも同様に応用できることは自明である。説明の便宜上、ブルーレイディスク（ＢＤ）に該当するディスク情報（以下、“ＤＩ”という）を例に挙げて説明するものとする。
【００２５】
図１は、本発明による書き込みが可能な光ディスク（recordable optical disc）の構造図である。図１において書き込みが可能な光ディスクは、書き換えが可能なブルーレイディスク（ＢＤ−ＲＥ）及び一度だけ書き込みが可能なブルーレイディスク（ＢＤ−ＷＯ）に該当する。
【００２６】
図１は、本発明による一つの記録層を有するシングルレイヤーディスクを示す。
【００２７】
図１を参照すると、リードイン領域（lead-in area）は光ディスクの内周領域に管理領域として提供され、リードアウト領域（lead-out area）は光ディスクの外周領域に管理領域として提供される。
【００２８】
事前記録された領域（prerecorded area）は、ディスク製作過程でデータが予め記録された領域であって、この事前記録された領域にユーザやシステムはそれ以上データ記録ができないようにする。ＢＤ−ＲＥ／ＷＯにおいて、この事前記録された領域は、ＰＩＣ（Permanent Information and Control）データと呼ぶ。ディスク情報（ＤＩ）は、ディスク記録に必要な情報であって、上記ＰＩＣ領域に記録される。
【００２９】
データ領域（data area）には、ユーザの実際データが記録されたユーザデータ領域と、欠陥の発生した領域に代替するためのスペア領域（ＩＳＡ、ＯＳＡ）とが備えられる。
【００３０】
特に、ＢＤ−ＷＯのような一度だけ書き込みが可能な光ディスクでは、ディスク欠陥管理及び一般管理のための情報を記録するＴＤＭＡ（Temporary Disc Management Area）が備えられている。書き換え可能ＢＤ−ＲＥの場合は、ＴＤＭＡが要らないのでリザーブド（reserved）領域として残しておく。
【００３１】
図２は、本発明による読み取り専用ディスク（read-only disc）の構造を示すもので、単一記録層を有するシングルレイヤーを示す。
【００３２】
図２を参照すると、読み取り専用光ディスクは、ピットによって事前記録される。このような記録は、管理領域及びデータ領域にも同一に適用される。ＢＤ−ＲＯＭの場合、ディスク情報を記録したＰＩＣ領域は複数のピットを含み、１クラスタ（cluster）は、データ領域におけるように、（２Ｋ＊３２）バイトで構成される。図１に示すＢＤ−ＲＥ／ＷＯのＰＩＣ領域は、ＢＤ−ＲＯＭのＰＩＣ領域と異なる。すなわち、データ領域と相異する該当のＰＩＣ領域に２層ＲＦ変調（biphase RF modulation）が適用される。
【００３３】
本発明の目的は、ＢＤ−ＲＥ、ＢＤ−ＷＯ、及びＢＤ−ＲＯＭなどのファミリー系列ブルーレイディスクに均等に応用できるディスク情報構成を提供することにあり、該ファミリー系列ブルーレイディスクについての詳細は後述される。
【００３４】
図３は、本発明によるブルーレイディスク（ＢＤ）内のＰＩＣ領域の構造を示す図である。図３に示すように、ＢＤに含まれた１クラスタは最小の記録／再生単位を表し、５４４個のクラスタが集まって一つの上位記録単位を構成し、合計５個のフラグメントが集まってＰＩＣ領域を形成する。
【００３５】
ここで、一番目のフラグメント（ＩＦＯ）の先頭クラスタ内にディスク情報（ＤＩ）を記録する。ディスク情報（ＤＩ）は、該当の光ディスクにより適用可能な記録層及び書き込み速度（writing speed）別に複数の個数で記録される。１記録情報は、１１２バイトで構成される。特に、１１２バイトで構成されたディスク情報（ＤＩ）は、“ディスク情報（ＤＩ）フレーム”という。また、該ディスク情報と同じコンテンツが前記残りフレームの各先頭クラスタに反復して記録されるので、ディスク情報の損失に対応することができる。
【００３６】
したがって、現在論議されているフォーマットのＢＤディスク情報構造は、ＢＤ−ＲＥ、ＢＤ−ＷＯ、及びＢＤ−ＲＯＭ間に同一に適用されるので、システムは同じディスク情報を管理するためにディスクタイプ別にそれぞれのハードウェアを備える必要がない。なお、上記ディスク情報構造は、ディスクタイプにかかわらずに同じ領域の同じ位置でディスク情報の共通領域（common field）として用いられることができる。
【００３７】
以下、本発明によるファミリー系列のＢＤのディスク情報を構成する方法及びこれを用いた光ディスク記録・再生装置を、図４乃至図９を参照して詳細に説明する。
【００３８】
図４は、ファミリー系列のＢＤ−ＲＯＭ、ＢＤ−ＲＥ、及びＢＤ−ＷＯのディスク情報を示す図である。各ディスク情報の最小単位は１１２バイトと等しい大きさに統合される。これは、同一サイズを持つディスク情報を構成することによって、ディスク情報を管理するシステムの負荷を低減するためである。
【００３９】
特に、ディスク情報は、読み取り専用ディスク及び書き込み可能ディスクに共通して適用される共通領域記録情報（common field recording information）及びディスクタイプ別特定情報を記録した所定フィールド（specific field recording specific information per disc type）を備えたことに特徴がある。
【００４０】
また、ディスクタイプ（ＢＤ−ＲＯＭ、ＢＤ−ＲＥ、ＢＤ−ＷＯ）にかかわらず同一に適用されるディスク情報内のフィールドは、同じ位置に記録され、“共通領域”とも称される。
【００４１】
すなわち、ディスク情報内のＮ番目、Ｍ番目、及びＬ番目のバイトに記録されたＡ、Ｂ、Ｃフィールドのそれぞれを、ディスクタイプにかかわらずに同一に適用されるフィールドとすれば、前記共通領域はＢＤ−ＲＯＭ、ＢＤ−ＲＥ、ＢＤ−ＷＯの各ディスク情報の同一位置に記録される。一般に共通領域は、ディスク情報内において先頭部分（front head）に位置するが、必ずしも一つの単位グループとして集合的に先頭部分に構成する必要はなく、ディスク情報内に分散して構成されても良い。
【００４２】
したがって、特定フィールドに該当する位置は、後で前記共通領域に変更されることがある。このようにすれば、前記先頭部分に位置した共通領域とは異なり、該当の共通領域が前記先頭部分の代わりに他の位置に存在するようになるはずである。
【００４３】
ディスク情報内に記録されたフィールドは、各ディスクタイプに同一に適用されず、“特有領域（specific field）”と呼ばれるリザーブド領域を用いて記録される。すなわち、該リザーブド領域がディスクタイプ別ディスク情報内の同じバイト位置に存在する場合、これは特有領域となる。
【００４４】
例えば、“Ｅフィールド”が図４のＢＤ−ＲＥのＰ番目のバイトに記録される。ＢＤ−ＲＯＭ或いはＢＤ−ＷＯのＰ番目のバイトは、リザーブド領域として残り、特有領域となる。ＢＤ−ＲＯＭあるいはＢＤ−ＲＥのＱ番目のバイトは、リザーブド領域として残り特有領域となる一方、Ｆフィールドは、ＢＤ−ＷＯのＱ番目のバイトに記録される。Ｄフィールドは、ＢＤ−ＲＯＭのＲ番目のバイトに記録される。ＢＤ−ＲＥ或いはＢＤ−ＷＯのＤフィールドは、リザーブド領域として残り特有領域となる。
【００４５】
同じフィールドを他のディスクタイプに適用しようとする場合、該当のフィールドは該当位置バイト内に構成されることになる。例えば、ＥフィールドがバージョンアップＢＤ−ＷＯあるいはＢＤ−ＲＯＭに適用される場合、Ｅフィールドはその後共通領域となるＢＤ−ＲＥのようにＰ番目のバイトに適用される。
【００４６】
一方、書き込み方法パラメータ（write strategy parameters）フィールドは単に書き込みが可能なディスク（ＢＤ−ＲＥ、ＢＤ−ＷＯ）にのみ必要なもので、読み取り専用ディスク（ＢＤ−ＲＯＭ）には不必要な特有領域に該当する。したがって、ＢＤ−ＲＯＭのＸ番目〜１１１番目のバイトは、リザーブド領域として用いられる一方、書き込み方法パラメータ（write strategy parameters）フィールドは、ＢＤ−ＲＥあるいはＢＤ−ＷＯのＸ番目〜１１１番目のバイトに書き込み方法情報として記録される。
【００４７】
なお、該書き込み方法パラメータフィールドは、ＢＤ−ＲＯＭに適用されることができなく、特有領域として残るようになる。前記書き込み方法パラメータフィールドは種々の情報（例えば、記録速度、記録パワーなど）で構成され、該当のフィールド内に同じ位置に同じコンテンツを構成する必要がある。この詳細は、図８Ａ乃至図８Ｃにおいて後述される。
【００４８】
特定されるＢＤ系列ディスクにおいてディスク情報に記録される前記フィールドの位置は、前述したような概念に基づいて決定されるので、ファミリー系列ディスク同士間の互換性が十分に満たされる。
【００４９】
図５乃至図７は、前述した概念を用いてＢＤ−ＲＯＭ、ＢＤ−ＲＥ、及びＢＤ−ＷＯ内に格納された１１２バイトディスク情報の詳細領域をそれぞれ示す図である。
【００５０】
０番目〜１３番目のバイト、１６番目のバイト、１７番目のバイト、２４番目〜３１番目のバイトは共通領域として構成され、残り１４番目、１５番目、１８番目〜２３番目のバイト、及び３２番目〜１１１番目のバイトは特有領域として構成される。また、３２番目〜１１１番目のバイトは、書き込み方法パラメータを記録したＸ番目〜１１１番目のバイトを構成する。このようなバイト構成は、本発明を效果的に説明するための一例であり、共通／特有領域に該当するバイト位置は変わることがある。
【００５１】
図５は、図４に示す本発明の実施形態によるＢＤ−ＲＯＭ制御情報の構造を示す例示図である。
【００５２】
図５を参照すると、１１２バイトのディスク情報のサイズが保持される。書き込み方法パラメータを記録した３２番目〜１１１番目のバイトは、リザーブド領域として用いられる特有領域を構成する。全体２０４８バイトが１セクターを構成するので、１セクター内に１８個までディスク情報の記録が可能である。
【００５３】
０番目〜１３番目のバイト、１６番目のバイト、１７番目のバイト、２４番目〜３１番目のバイトは共通領域を構成するが、この共通領域は、ＢＤ−ＲＥあるいはＢＤ−ＷＯのディスク情報に記録されたものと同じである。
【００５４】
読み取り専用ディスクＢＤ−ＲＯＭは、書き込み速度（writing speed）と関連がないので、書き込み方法パラメータを必要としない。したがって、ＢＤ−ＲＯＭは、記録層別に一つのディスク情報を十分に含むことができる。この場合に、２個のディスク情報がデュアルレイヤー（dual−layer）ＢＤ−ＲＯＭに構成され、残りのバイトは可能な限り“０”と設定される。
【００５５】
図６は、本発明の実施形態によるＢＤ−ＲＥ制御情報の構造を示す例示図である。
【００５６】
図６を参照すると、１１２バイトのディスク情報サイズが保持される。書き込み方法パラメータを記録した３２番目〜１１１番目のバイトは、該当のディスク情報で表示される特有領域を構成する。３２番目〜１１１番目のバイト位置における前記書き込み方法パラメータは、記録速度情報及び記録パワーなどの情報を含むことができる。全体２０４８バイトが１セクターを構成するので、１セクター内に１８個までディスク情報記録が可能である。
【００５７】
０番目〜１３番目のバイト、１６番目のバイト、１７番目のバイト、２４番目〜３１番目のバイトは共通領域を構成するが、この共通領域はＢＤ−ＲＯＭあるいはＢＤ−ＷＯのディスク情報に記録されたものと同じである。特有領域をＢＤ−ＲＥに付加しようとする場合、ディスク情報内の特有領域は記録機能のために用いられる。
【００５８】
例えば、“速度用ＤＩフレームポインタ（DI frame pointer for velocity）”領域を新たに追加しようとする場合、以前の特有領域としてリザーブド領域を用いて該当のフィールドを１４番目〜１５番目のバイトに記録できる。ＢＤ−ＲＯＭのディスク情報において、１４番目〜１５番目のバイトはリザーブド領域として維持される。
【００５９】
図７は、本発明の実施形態によるＢＤ−ＷＯ制御情報の構造を示す例示図である。
【００６０】
図７を参照すると、１１２バイトのディスク情報大きさが保持される。書き込み方法パラメータは３２番目〜１１１番目のバイトに記録されるが、３２番目〜１１１番目のバイトは、該当のディスク情報で表示される特有領域を表す。全体２０４８バイトが１セクターを構成するので、１セクター内に１８個までディスク情報記録が可能である。
【００６１】
０番目〜１３番目のバイト、１６番目のバイト、１７番目のバイト、２４番目〜３１番目のバイトは共通領域を構成するが、この共通領域は、ＢＤ−ＲＯＭあるいはＢＤ−ＲＥのディスク情報に記録されたものと同じである。特有領域をＢＤ−ＷＯに付加しようとする場合、ディスク情報内の特有領域はレコーディング機能のために用いられる。
【００６２】
例えば、“一度だけ書き込みが可能な媒体タイプ情報（write−once media type info）”領域を新たに追加しようとする場合、以前の特有領域としてリザーブド領域を用いて該当のフィールドを１８番目のバイトに記録できる。“１度だけ書き込み可能媒体タイプ情報（write−once media type info）”領域は、媒体が有機染料（organic dye）や無機染料など（inorganic dye）からなるか否かを表す媒体タイプ情報を識別できる。ＢＤ−ＲＯＭあるいはＢＤ−ＲＥのディスク情報において、１８番目のバイトはリザーブド領域として維持される。
【００６３】
ＢＤ−ＷＯのディスク情報に“速度用ＤＩフレームポインタ（DI frame pointer for velocity）”領域を新たに追加しようとする場合、ディスク間の互換性を維持するために、該当のフィールドはＢＤ−ＲＥにおけるように１４番目〜１５番目のバイトに記録される。
【００６４】
該当のフィールドが共通して適用される共通領域なのか、特有のディスクタイプに適用される特有領域なのかを考慮して前記フィールドをさらに割り当てることによって、システムによる互換性管理だけでなく構成フィールドの追加も可能になる。
【００６５】
図８Ａ乃至図８Ｃは、書き込み可能ディスク（ＢＤ−ＲＥ、ＢＤ−ＷＯ）の制御情報内に記録された記録速度情報及び書き込み方法パラメータの構造をそれぞれ示すものである。前述したように情報を記録したフィールドは、０と設定されるリザーブド領域に該当し、この該当フィールドは特有領域として維持される。
【００６６】
ＢＤ−ＲＥ及びＢＤ−ＷＯなどの書き込み可能ディスクの場合、記録速度情報領域は、書き込み可能ディスクの名目上記録速度（nominal recording velocity）、最大記録速度、最小記録速度を含む。また、記録速度と関連した前記書き込み方法パラメータ領域は、データ記録のための重要な情報（例えば、記録パワー、記録パルスタイミング等）を含む。前記該当領域に記録されたデータは様々なタイプを含み、前述した共通領域及び特有領域の概念は、該当フィールドに記録される構成情報に適用される必要がある。
【００６７】
図８Ａは、本発明による光ディスクのディスク情報の一実施例を示すものである。
【００６８】
図８Ａを参照すると、各ディスク情報の順序（sequence）は、シーケンス（sequence）番号により決定され、１バイトで記録される。例えば、該当の情報は、ディスク情報内の５番目のバイトに記録され、“ＤＩブロックのＤＩフレームシーケンス番号（DI frame sequence number in DI block）”と命名され、“００１”、“０１ｈ”、“０２ｈ”、…と簡単に表すことができる。すなわち、５番目のバイト情報が“００ｈ”なら、これは一番目のディスク情報を意味し、５番目のバイト情報が“０７ｈ”なら、８番目のディスク情報を意味する。
【００６９】
記録速度情報（名目上記録速度、最大記録速度及び最小記録速度を含む）は、該当ディスク情報で表し、該当記録速度に関する書き込み方法パラメータは、ディスク情報の特有領域の一つの該当特定位置（complied specific location）に記録される。
【００７０】
例えば、ディスク情報の記録速度情報は、該当ディスク情報の３４番目〜３５番目のバイトに記録される。該当速度に関する書き込みパワー情報は、５６番目〜７１番目のバイトに記録される。最大／最小速度の書き込みパルス（write pulses）の開始時点は、該当速度に関連した７９番目〜８４番目のバイトに記録される。そして、最大／最小速度の削除パルス（erase pulses）の開始時点は、該当速度に関連した９２番目〜９７番目のバイトに記録される。
【００７１】
４８番目〜５５番目のバイト、７６番目〜７８番目のバイト、及び８９番目〜９１番目のバイトは、名目上速度（nominal velocity）での記録パワーと関連する。一般に、名目上速度は１倍速（1x−speed）を意味する。望ましくは、該当情報は速度にかかわらずにディスク情報全体に記録される同じ値で設定される。
【００７２】
ＢＤ−ＲＥとＢＤ−ＷＯのような光ディスクの場合、速度情報と書き込み方法情報はディスク情報内の同一領域に記録される。マイコン１６（図９）は、特定速度情報とディスク情報内の同一領域を通じて該当速度に処理する書き込み方法パラメータを再生するので、効果的な記録／再生が可能になる。
【００７３】
図８Ｂは、図８Ａのディスク情報を構成する一例を示す図である。
【００７４】
図８Ｂを参照すると、一つの記録層を持つシングルレイヤーが３つの記録速度情報を必要とする場合、これら３つのディスク情報は、相異する３つの記録速度情報を必要とする。シーケンス番号、シーケンス番号に該当する記録速度情報、及び書き込み方法パラメータは同じ記録領域に割り当てられる。
【００７５】
例えば、表示される記録速度が１倍速、２倍速、４倍速に定められる場合、第１のディスク情報において、シーケンス番号は“００ｈ”であり、該当速度及び書き込み方法は３２番目〜９７番目のバイトの該当位置（complied location）にそれぞれ記録される。第２のディスク情報において、シーケンス番号は“０１ｈ”であり、該当速度及び書き込み方法は、前記第１のディスク情報におけるように３２番目〜９７番目のバイトの該当位置にそれぞれ記録される。第３のディスク情報において、シーケンス番号は“０２ｈ”であり、該当速度及び書き込み方法は、前記第１及び第２のディスク情報におけるように３２番目〜９７番目のバイトの該当位置にそれぞれ記録される。
【００７６】
図８Ｃは、図８Ａのディスク情報を構成する他の実施例を示す図である。
【００７７】
図８Ｃを参照すると、デュアルレイヤーの２つの記録層のそれぞれが、３つの記録速度情報を必要とする場合、２つの記録層のそれぞれの３つの記録速度情報は何れも６個のディスク情報を必要とする。シーケンス番号、該シーケンス番号に該当する記録速度情報、及び書き込み方法パラメータは同じ記録領域に割り当てられる。
【００７８】
例えば、表示される記録速度が１倍速、２倍速、４倍速に定められる場合、第１乃至第３のディスク情報は、第１記録層のディスク情報を意味する。第１のディスク情報において、シーケンス番号は“００ｈ”であり、該当速度及び書き込み方法は３２番目〜９７番目のバイトの該当位置にそれぞれ記録される。第２のディスク情報において、シーケンス番号は“０１ｈ”であり、該当速度及び書き込み方法は前記第１ディスク情報におけるように３２番目〜９７番目のバイトの該当位置にそれぞれ記録される。第３のディスク情報において、シーケンス番号は“０２ｈ”であり、該当速度及び書き込み方法は前記第１の及び第２のディスク情報におけるように３２番目〜９７番目のバイトの該当位置にそれぞれ記録される。
【００７９】
一方、第４乃至第６のディスク情報は、第２の記録層を意味する。第４乃至第６のディスク情報において、シーケンス番号はそれぞれ、“０３ｈ”、“０４ｈ”及び“０５ｈ”に定められる。該当速度と書き込み方法は第１の記録層のディスク情報におけるように３２番目〜９７番目のバイトの該当位置にそれぞれ記録される。
【００８０】
図８Ｃと比較すると、図示してはいないが、６個のディスク情報の順序は変わることがある。すなわち、まず、該順序が記録速度によって定められ、その後に同じ記録速度内での記録層によって定められることができる。この場合、第１のディスク情報は１倍速と関連し、かつシーケンス番号“００ｈ”を持つ第１の記録層とも関連する。第２のディスク情報は１倍速と関連し、かつシーケンス番号“０１ｈ”などを持つ第２の記録層とも関連する。
【００８１】
図９は、本発明による制御情報を用いた光ディスク記録・再生装置を示すブロック図である。
【００８２】
図９を参照すると、本発明による記録・再生装置は、光ディスクの記録・再生を行う記録・再生部（recorder/reproducer）１０と、該記録・再生部１０を制御する制御部２０と、を備える。
【００８３】
制御部２０（例えば、ホスト）は、所定領域のための命令を記録あるいは再生する。記録・再生部１０は、制御部２０の命令に応じて前記所定領域に記録／再生動作を行う。特に、記録・再生部１０は、外部機器（例えば、制御部（ホスト）２０）と通信するインターフェース部１２を備える。ピックアップ部１１は、光ディスクにデータを直接記録したり該光ディスクからデータを再生する。データ処理部１３は、ピックアップ部１１から受信された再生信号を望む信号値に復元したり、記録される信号を光ディスクに記録される信号に変調して伝達する。サーボ１４は、光ディスクから信号を正確に読み出したり、ピックアップ部１１が光ディスクに信号を正確に記録するように制御する。メモリ１５は、管理情報及びデータを含む種々の情報を臨時格納する。マイコン１６は、記録・再生部１０内に含まれた上記の諸構成要素を制御する。
【００８４】
一方、マイコン１６は外部機器と通信せずに制御部２０の機能（function）を装置内に備えることができる。
【００８５】
以下、本発明による光ディスク記録または再生過程を詳細に説明する。
【００８６】
光ディスクが光記録・再生装置にローディングされると、ディスク内の全体ディスク管理情報が読み出されて記録・再生部１０のメモリに臨時格納される。種々のディスク管理情報が、光ディスクにデータを記録したり、あるいは光ディスクからデータを再生するのに使用される。
【００８７】
特に、光記録・再生装置は、１１２バイトを用いてディスク情報を確認することができるので、ディスクタイプが不正確に検出されても常にディスク情報を再生することができる。共通領域がディスク内の共通位置に記録されるにつれて、ディスク情報の再生が容易になる。したがって、ディスク情報を用いて記録／再生動作に有効に対処することができる。
【００８８】
制御部２０の記録あるいは再生命令によって、ディスク情報をいつでも容易に獲得でき、ディスク情報内に記録された種々の情報を利用できる。したがって、本発明は、記録あるいは再生命令が円滑に行われるようにする。
【００８９】
一方、以上では本発明を具体的な実施形態に上げて説明してきたが、本発明の範囲を逸脱しない限度内で当業者による種々の変形が可能であることはいうまでもない。したがって、本発明の範囲は、以上の具体的な実施形態によって限定されてはならず、添付した特許請求の範囲とその均等物により定められるべきである。
【図面の簡単な説明】
【００９０】
【図１】本発明による書き込み可能ディスク（recordable disc）の構造図である。
【図２】本発明による読み取り専用ディスク（read-only disc）の構造図である。
【図３】本発明による書き込み可能光ディスク内に構成された制御情報の構造図である。
【図４】本発明によるブルーレイディスク（ＢＤ）内において各ディスクタイプ別に記録されている制御情報の構造を示す例示図である。
【図５】図４に示す本発明の実施形態によるＢＤ−ＲＯＭ制御情報の構造を示す例示図である。
【図６】図４に示す本発明の実施形態によるＢＤ−ＲＥ制御情報の構造を示す例示図である。
【図７】図４に示す本発明の実施形態によるＢＤ−ＷＯ制御情報の構造を示す例示図である。
【図８Ａ】書き込み可能ディスク（ＢＤ−ＲＥ、ＢＤ−ＷＯ）の制御情報内に記録されている様々な書き込み方法（write strategies）を示す例示図である。
【図８Ｂ】書き込み可能ディスク（ＢＤ−ＲＥ、ＢＤ−ＷＯ）の制御情報内に記録されている様々な書き込み方法（write strategies）を示す例示図である。
【図８Ｃ】書き込み可能ディスク（ＢＤ−ＲＥ、ＢＤ−ＷＯ）の制御情報内に記録されている様々な書き込み方法（write strategies）を示す例示図である。
【図９】本発明による制御情報を用いた光ディスク記録・再生装置を示すブロック図である。
【図１】
2007527087.tif 000003
【図２】
2007527087.tif 000004
【図３】
2007527087.tif 000005
【図４】
2007527087.tif 000006
【図５】
2007527087.tif 000007
【図６】
2007527087.tif 000008
【図７】
2007527087.tif 000009
【図８Ａ】
2007527087.tif 000010
【図８Ｂ】
2007527087.tif 000011
【図８Ｃ】
2007527087.tif 000012
【図９】
2007527087.tif 000013
【国際調査報告】
2007527087.tif 000014
2007527087.tif 000015